(57)【要約】      （修正有）【課題】構造が簡単で、使用しやすく、デンタルフロスを交換しやすく、フロスピックの浪費を防止でき、高い実用的な価値及び普及する価値を有するフロスピックを提供する。【解決手段】上片１と下片２とを備えるフロスピックにおいて、上片と下片が全てＵ字形を呈し、上片の開口部の両端の頂部と下片の開口部の両端の頂部とが回転可能に連結され、上片の開口部の両端の上部に全て突起３が設けられており、下片の開口部の両端の上部に全て突起に対応する溝４が設けられており、上片の中部に雌ホック５が設けられており、下片の中部に雌ホックに嵌合される雄ホック６が設けられており、上片の開口部の両端の上部にデンタルフロス７が設けられており、デンタルフロスが上片に巻き付けられ、デンタルフロスと上片とが巻き付けられる部位が突起の上側に位置し、下片の開口部の両端の何れか一方の上部にブレードが設けられており、ブレードが溝に位置し、ブレードがデンタルフロスを切断する役割を有し、上片の中部に取っ手９が設けられている。【選択図】図１
0003231088.tif 000002
【実用新案登録請求の範囲】
【請求項１】
上片１と下片２とを備えるフロスピックにおいて、前記上片１と下片２が全てＵ字形を呈し、前記上片１の開口部の両端の頂部と下片２の開口部の両端の頂部とが回転可能に連結され、前記上片１の開口部の両端の上部に全て突起３が設けられており、前記下片２の開口部の両端の上部に全て突起３に対応する溝４が設けられており、
前記上片１の中部に雌ホック５が設けられており、前記下片２の中部に雌ホック５に嵌合される雄ホック６が設けられており、
前記上片１の開口部の両端の上部にデンタルフロス７が設けられており、前記デンタルフロス７が上片１に巻き付けられ、前記デンタルフロス７と上片１とが巻き付けられる部位が突起３の上側に位置し、
前記下片２の開口部の両端の何れか一方の上部にブレード８が設けられており、前記ブレード８が溝４に位置し、前記ブレード８がデンタルフロス７を切断する役割を有し、
前記上片１の中部に取っ手９が設けられていることを特徴とする、フロスピック。
【請求項２】
前記ブレード８が下片２の外側に位置することを特徴とする、請求項１に記載のフロスピック。
【請求項３】
前記ブレード８の幅が上片１及び下片２に近接する回転接合部から他端に向けて直線的に増加することを特徴とする、請求項２に記載のフロスピック。
【請求項４】
前記ブレード８と下片２との間がねじ山を介して連結固定されることを特徴とする、請求項１に記載のフロスピック。
【請求項５】
前記ブレード８の材質が炭素鋼であることを特徴とする、請求項１に記載のフロスピック。
【請求項６】
前記下片２の中部にレバー１０が設けられていることを特徴とする、請求項１に記載のフロスピック。
【請求項７】
前記デンタルフロス７の材質が高分子量ポリエチレン繊維であることを特徴とする、請求項１に記載のフロスピック。
【請求項８】
前記上片１の材質が食品グレードのプラスチックであることを特徴とする、請求項１に記載のフロスピック。
【請求項９】
前記下片２の材質が食品グレードのプラスチックであることを特徴とする、請求項１に記載のフロスピック。
【考案の詳細な説明】
【技術分野】
【０００１】
本考案は、口腔ケア分野に関し、詳しくはフロスピックに関する。
【背景技術】
【０００２】
フロスピックは柄付きデンタルフロスとも呼ばれ、日常の口腔ケアにおいて歯ブラシに合わせて用いられる製品である。フロスピックの前に、デンタルフロスで同様な効果を得ていた。デンタルフロスに比べ、フロスピックは、より便利で、効率が高く、安全で、衛生である等のメリットを有する。
【０００３】
歯ブラシは歯の表面の７０％しか磨くことができない。デンタルフロスは歯ブラシの欠点を補い、現在欧米でよく使われている家庭用歯ケア製品である。本製品は爪楊枝として用いられてもよく、デンタルフロスとして用いられてもよい。
【０００４】
従来のフロスピックは全て使い捨ての製品であり、一回使われた後、ゴミとして捨てられる。このように多くのフロスピックを無駄にしてしまう。
【考案の概要】
【０００５】
本考案が解決しようとする課題は前記技術のデメリットを克服し、フロスピックを提供することである。
【０００６】
前記課題を解決するために、本考案は以下の技術的手段を提供する。上片と下片とを備えるフロスピックにおいて、前記上片と下片が全てＵ字形を呈し、前記上片の開口部の両端の頂部と下片の開口部の両端の頂部とが回転可能に連結され、前記上片の開口部の両端の上部に全て突起が設けられており、前記下片の開口部の両端の上部に全て突起に対応する溝が設けられており、
前記上片の中部に雌ホックが設けられており、前記下片の中部に雌ホックに嵌合される雄ホックが設けられており、
前記上片の開口部の両端の上部にデンタルフロスが設けられており、前記デンタルフロスが上片に巻き付けられ、前記デンタルフロスと上片とが巻き付けられる部位が突起の上側に位置し、
前記下片の開口部の両端の何れか一方の上部にブレードが設けられており、前記ブレードが溝に位置し、前記ブレードがデンタルフロスを切断する役割を有し、
前記上片の中部に取っ手が設けられているフロスピック。
【０００７】
改善としては、前記ブレードが下片の外側に位置する。
【０００８】
改善としては、前記ブレードの幅が上片及び下片に近接する回転接合部から他端に向けて直線的に増加する。
【０００９】
改善としては、前記ブレードと下片との間がねじ山を介して連結固定される。
【００１０】
改善としては、前記ブレードの材質が炭素鋼である。
【００１１】
改善としては、前記下片の中部にレバーが設けられている。
【００１２】
改善としては、前記デンタルフロスの材質が高分子量ポリエチレン繊維である。
【００１３】
改善としては、前記上片の材質が食品グレードのプラスチックである。
【００１４】
改善としては、前記下片の材質が食品グレードのプラスチックである。
【００１５】
従来技術に比べ、本考案のメリットは、構造が簡単であり、使用しやすいことである。デンタルフロスを交換しやすく、フロスピックの浪費を防止でき、高い実用的な価値及び普及する価値を有する。
【図面の簡単な説明】
【００１６】
【図１】本考案に係るフロスピックの第１の概略構成図である。
【図２】本考案に係るフロスピックの第２の概略構成図である。
【図３】本考案に係るフロスピックの正面図である。
【図４】図１におけるＡ部位の拡大図である。
【図５】図２におけるＢ部位の拡大図である。
【図６】本考案に係るフロスピックの収納状態での概略図である。
【考案を実施するための形態】
【００１７】
以下、添付図面を参照しながら本考案に係るフロスピックをさらに詳しく説明する。
【００１８】
添付図面１〜６を参照する。上片１と下片２とを備えるフロスピックにおいて、前記上片１と下片２が全てＵ字形を呈し、前記上片１の開口部の両端の頂部と下片２の開口部の両端の頂部とが回転可能に連結され、前記上片１の開口部の両端の上部に全て突起３が設けられており、前記下片２の開口部の両端の上部に全て突起３に対応する溝４が設けられており、
前記上片１の中部に雌ホック５が設けられており、前記下片２の中部に雌ホック５に嵌合される雄ホック６が設けられており、
前記上片１の開口部の両端の上部にデンタルフロス７が設けられており、前記デンタルフロス７が上片１に巻き付けられ、前記デンタルフロス７と上片１とが巻き付けられる部位が突起３の上側に位置し、
前記下片２の開口部の両端の何れか一方の上部にブレード８が設けられており、前記ブレード８が溝４に位置し、前記ブレード８がデンタルフロス７を切断する役割を有し、
前記上片１の中部に取っ手９が設けられているフロスピック。
【００１９】
前記ブレード８が下片２の外側に位置する。
【００２０】
前記ブレード８の幅が上片１及び下片２に近接する回転接合部から他端に向けて直線的に増加する。
【００２１】
前記ブレード８と下片２との間がねじ山を介して連結固定される。
【００２２】
前記ブレード８の材質が炭素鋼である。
【００２３】
前記下片２の中部にレバー１０が設けられている。
【００２４】
前記デンタルフロス７の材質が高分子量ポリエチレン繊維である。
【００２５】
前記上片１の材質が食品グレードのプラスチックである。
【００２６】
前記下片２の材質が食品グレードのプラスチックである。
【００２７】
本考案は、具体的に実施する場合、使用する際に、デンタルフロス７を上片１に縛ればよく、フロスピックが正常に用いられる。
【００２８】
フロスピックを使い終わった後、下片２を回し、下片２が回転する場合、ブレード８も回転する。その後、上片１に縛られたデンタルフロス７をカットする。デンタルフロス７が容易に下片２から取り外される。
【００２９】
デンタルフロス７を取り外してから、使用せず、その後、上片１と重なるまで下片２を回す。この場合、上片１の開口部の両端の上部の突起３が下片２の開口部の両端の上部の溝４に嵌合される。雄ホック６が雌ホック５に嵌合されて、下片２と上片１を回転させない。
【００３０】
再び使用する場合、指でレバー１０を引き、下片２と上片１が回転し、雄ホック６と雌ホック５が分離する。その後、デンタルフロス７を上片１に縛り、ブレード８の刃がデンタルフロス７にくっつき、正常に使用すればよい。
【００３１】
本考案は、構造が簡単であり、使用しやすい。デンタルフロスを交換しやすく、フロスピックの浪費を防止でき、高い実用的な価値及び普及する価値を有する。
【００３２】
以上、本考案及びその実施の態様を説明したが、このような説明は制限性を有せず、添付図面に示すのも本考案の実施の態様の一つに過ぎず、実際の構造がこれに制限されるものではない。つまり、当業者がその示唆を受けて、本考案の趣旨を逸脱することなく、創造性なしで設計した前記技術的手段と同様な構造方式及び実施例は、全て本考案の保護範囲に属すべきである。
【符号の説明】
【００３３】
１    上片
２    下片
３    突起
４    溝
５    雌ホック
６    雄ホック
７    デンタルフロス
８    ブレード
９    取っ手
１０    レバー
【図１】
0003231088.tif 000003
【図２】
0003231088.tif 000004
【図３】
0003231088.tif 000005
【図４】
0003231088.tif 000006
【図５】
0003231088.tif 000007
【図６】
0003231088.tif 000008